(57)【要約】設定可能な帯域幅が利用可能である場合の資源割り当て方法、装置およびシステムが開示される。方法の１つは、第１帯域幅において第１組の資源を用いて第１送信を実行することと、その後に、第２帯域幅において第２組の資源を用いて第２送信を実行することとを含む。第１帯域幅は第２帯域幅より大きい。第１組の資源および第２組の資源は、それぞれ第１値および第２値によって識別される。第１値のビット表現は、第２値のビット表現が最上位ビット（ＭＳＢ）または最下位ビット（ＬＳＢ）に関してゼロパディングされたバージョンである。【選択図】図２
2021513799.tif 000002
【特許請求の範囲】
【請求項１】
第１帯域幅において第１組の資源を用いて第１送信を実行することと、
前記第１送信の後に、第２帯域幅において第２組の資源を用いて第２送信を実行することと、
を含む無線通信方法であって、
前記第１帯域幅は、前記第２帯域幅より大きく、
前記第１組の資源は、第１値によって識別され、
前記第２組の資源は、第２値によって識別され、
前記第１値のビット表現は、前記第２値のビット表現がゼロパディングされたバージョンであり、
前記第２値の前記ビット表現は、最上位ビット（ＭＳＢ）または最下位ビット（ＬＳＢ）に関してゼロパディングされている、
方法。
【請求項２】
前記第１値および前記第２値は、それぞれ第１および第２資源指示値（ＲＩＶ）に対応し、
前記第１組の資源および前記第２組の資源は、それぞれ第１数および第２数の資源ブロックに対応し、
前記第１帯域幅および第２帯域幅は、それぞれ第１および第２帯域幅部分（ＢＷＰ）に対応する、
請求項１に記載の方法。
【請求項３】
前記第１組の資源を識別する前記第１値は、第１ＢＷＰインデックスに基づく、請求項２に記載の方法。
【請求項４】
前記第２組の資源を識別する前記第２値は、第２ＢＷＰインデックスに基づく、請求項２または３に記載の方法。
【請求項５】
前記第２ＢＷＰインデックスを含むダウンリンク制御情報（ＤＣＩ）を受信することと、
前記第２ＢＷＰインデックスが前記第１ＢＷＰインデックスとは異なると決定することと、
をさらに含む、請求項４に記載の方法。
【請求項６】
前記ＭＳＢまたは前記ＬＳＢに関するゼロパディングは標識ビットに基づく、請求項１〜５のいずれか一項に記載の方法。
【請求項７】
前記標識ビットは、周波数領域資源割り当てフィールドの一部である、請求項１〜６のいずれか一項に記載の方法。
【請求項８】
前記標識ビットは、帯域幅部分標識フィールドの値に基づく、請求項１〜６のいずれか一項に記載の方法。
【請求項９】
第１帯域幅において第１組の資源を用いて第１送信を実行することと、
前記第１送信の後に、第２帯域幅において第２組の資源を用いて第２送信を実行することと、
前記第２送信の後に、前記第２帯域幅において第３組の資源を用いて第３送信を実行することと、
を含む無線通信方法であって、
前記第２帯域幅は、前記第１帯域幅より大きく、
前記第１組の資源は、第１の複数値によって識別され、
前記第２組の資源は、第２の複数値によって識別され、
前記第３組の資源は、第３の複数値によって識別され、
前記第３の複数値は、前記第１組の資源および前記第２組の資源の相対的サイズに基づいて、前記第２の複数値のサブセットを選択することによって決定される、
方法。
【請求項１０】
前記第１、前記第２および前記第３の複数値は、それぞれ第１、第２および第３の複数の資源指示値（ＲＩＶ）に対応し、
前記第１組の資源、前記第２組の資源および前記第３組の資源は、それぞれ第１数、第２数および第３数の資源ブロックに対応し、
前記第１帯域幅および第２帯域幅は、それぞれ第１および第２帯域幅部分（ＢＷＰ）に対応する、
請求項９に記載の方法。
【請求項１１】
前記サブセットは、前記第２の複数値から均一に選択される、請求項９または１０に記載の方法。
【請求項１２】
前記サブセットは、前記第２の複数値から不均一に選択される、請求項９または１０に記載の方法。
【請求項１３】
前記第２の複数値の前記サブセットは、さらにオフセット値に基づいて選択され、
前記オフセット値は、前記第１値のビット表現に基づく、
請求項９または１０に記載の方法。
【請求項１４】
前記オフセット値は、０から（Ｓ−１）までの範囲の組から選択され、
Ｓはサンプリング間隔であり、
前記サンプリング間隔は、前記第１組および前記第２組の資源のサイズの比率に基づく、
請求項１３に記載の方法。
【請求項１５】
帯域幅において第１組の資源を用いて第１送信を実行することと、
前記第１送信の後に、前記帯域幅において第２組の資源を用いて第２送信を実行することと、
を含む無線通信方法であって、
前記第１組の資源は、第１の複数値によって識別され、
前記第２組の資源は、第２の複数値によって識別され、
前記第１の複数値は、前記第２の複数値に基づき、
前記第２の複数値の第３値は、前記第２の複数値の第４値より大きく、
（ａ）前記第３値に対応する長さは、前記第４値に対応する長さ以上であるか、または、（ｂ）前記第３値に対応する始点インデックスは、前記第４値に対応する始点インデックス以上である、
方法。
【請求項１６】
前記第１の複数値および前記第２の複数値は、それぞれ、第１の複数の、および、第２の複数の、資源指示値（ＲＩＶ）に対応し、
前記第１組の資源および前記第２組の資源は、それぞれ第１数および第２数の資源ブロックに対応し、
前記帯域幅は帯域幅部分（ＢＷＰ）に対応する、
請求項１５に記載の方法。
【請求項１７】
前記第１の複数値（ＲＩＶｎｅｗ）の決定は、以下に基づき、
Ｉｆ  （ｍ＝＝０）
ＲＩＶｎｅｗ  ＝  ＲＩＶ
Ｅｌｓｅ
Ｉｆ  （ＲＩＶ＞（ｍＮ−１））＆（ＲＩＶ＜（ｍ＋１）Ｎ−ｍ）
ＲＩＶｎｅｗ＝ＲＩＶ−ｍ（ｍ＋１）／２
Ｅｌｓｅ
ＲＩＶｎｅｗ＝ｍａｘ（ＲＩＶ）−（（ｍ−２Ｎ）（ｍ＋１）／２＋ＲＩＶ）
Ｅｎｄ
Ｅｎｄ
ただしｍａｘ（ＲＩＶ）は前記第１値の最大値であり、Ｎは前記帯域幅であり、ｍ＝ｆｌｏｏｒ（Ｎ／２）である、請求項１６に記載の方法。
【請求項１８】
帯域幅において第１組の資源を用いて第１送信を実行することと、
前記第１送信の後に、前記帯域幅において第２組の資源を用いて第２送信を実行することと、
を含む無線通信方法であって、
前記第１組の資源は、第１の複数値のうち１つによって識別され、
前記第２組の資源は、第２の複数値のうち１つによって識別され、
前記第１の複数値は、第１変数の値を一定に維持して第２変数の値を増加させることによって決定され、
前記第２の複数値は、前記第２変数の前記値を一定に維持して前記第１変数の前記値を増加させることによって決定される、
方法。
【請求項１９】
前記第１の複数値および前記第２の複数値は、それぞれ、第１の複数の、および、第２の複数の、資源指示値（ＲＩＶ）に対応し、
前記第１組の資源および前記第２組の資源は、それぞれ第１数および第２数の資源ブロックに対応し、
前記帯域幅は帯域幅部分に対応し、
前記第１変数は、前記組の資源の長さに対応し、
前記第２変数は、前記組の資源の始点インデックスに対応する、
請求項１８に記載の方法。
【請求項２０】
前記第２の複数値は、第１方程式または第２方程式を用いて決定され、
前記第１方程式は、
Ｉｆ  （ＲＢｓｔａｒｔ≦ｆｌｏｏｒ（Ｎ／２））
ＲＩＶ＝Ｎ×ＲＢｓｔａｒｔ＋（ＬＲＢｓ−１）
Ｅｌｓｅ
ＲＩＶ＝Ｎ（Ｎ−ＲＢｓｔａｒｔ）＋（Ｎ−ＬＲＢｓ）
Ｅｎｄ
ただし（（Ｎ−ＲＢｓｔａｒｔ）≦ＬＲＢｓ≦１）
であり、
前記第２方程式は、
Ｉｆ  （ＲＢｓｔａｒｔ≦ｆｌｏｏｒ（Ｎ／２））
ＲＩＶｔｅｍｐ＝Ｎ×ＲＢｓｔａｒｔ＋（ＬＲＢｓ−１）
Ｅｌｓｅ
ＲＩＶｔｅｍｐ＝Ｎ（Ｎ−ＲＢｓｔａｒｔ）＋（Ｎ−ＬＲＢｓ）
Ｅｎｄ
ＲＩＶ＝ＲＩＶｍａｘ−ＲＩＶｔｅｍｐ
ただし（（Ｎ−ＲＢｓｔａｒｔ）≦ＬＲＢｓ≦１）
である、
請求項１９に記載の方法。
【請求項２１】
プロセッサを備える無線通信装置であって、前記プロセッサは、請求項１〜２０のいずれか一項に記載の方法を実施するよう構成される、装置。
【請求項２２】
記憶されたコンピュータ可読プログラム媒体コードを備えるコンピュータプログラム製品であって、前記コードは、プロセッサによって実行されると、前記プロセッサに請求項１〜２０のいずれか一項に記載の方法を実施させる、コンピュータプログラム製品。
【発明の詳細な説明】
【技術分野】
【０００１】
本文書は、概して無線通信に関する。
【０００２】
［背景］
無線通信技術は、ますます接続されネットワーク化された社会に向けて世界を進ませている。無線通信の急速な成長および技術の進歩は、容量および接続性に対する需要をより大きくした。様々な通信シナリオのニーズに適合するためには、他の側面（エネルギー消費、装置コスト、スペクトル効率、遅延、等）もまた重要である。既存の無線ネットワークと比較して、次世代システムおよび無線通信技術は、資源割り当てにおいてより高い柔軟性を提供し、巨大な数の接続をサポートする必要がある。
【０００３】
［サマリー］
本文書は、新無線（ＮＲ）システムにおける資源割り当てのための方法、システムおよび装置（たとえば設定可能帯域幅を提供するもの）に関する。
【０００４】
例示の一態様では、無線通信方法が開示される。方法は、第１帯域幅において第１組の資源を用いて第１送信を実行することと、第１送信の後に、第２帯域幅において第２組の資源を用いて第２送信を実行することとを含み、第２組の資源を識別する第２値を決定するために、開示される技術の一実施形態に基づき、第１組の資源を識別する第１値が用いられる。
【０００５】
例示のさらに別の態様では、上述の方法がプロセッサ実行可能コードの形式で実施され、コンピュータ可読プログラム媒体に記憶される。
【０００６】
例示のさらに別の態様では、上述の方法を実行するために設定可能または動作可能な装置が開示される。
【０００７】
上述の態様および他の態様ならびにそれらの実装は、図面、説明および特許請求の範囲においてより詳細に説明される。
【図面の簡単な説明】
【０００８】
【図１】本開示技術のいくつかの実施形態による、無線通信における基地局（ＢＳ）およびユーザ機器（ＵＥ）の例を示す。
【図２】設定可能帯域幅のための資源割り当ての方法の例を示す。
【図３Ａ】設定可能帯域幅のための資源割り当ての別の方法の例を示す。
【図３Ｂ】設定可能帯域幅のための資源割り当ての別の方法の例を示す。
【図４Ａ】設定可能帯域幅のための資源割り当てのさらに別の方法の例を示す。
【図４Ｂ】設定可能帯域幅のための資源割り当てのさらに別の方法の例を示す。
【図４Ｃ】設定可能帯域幅のための資源割り当てのさらに別の方法の例を示す。
【図５】設定可能帯域幅のための資源割り当ての例示的方法のフローチャートを示す。
【図６】本特許文献において記載される方法または技術を実施可能な装置の一部のブロック図表現である。
【図７】設定可能帯域幅のための資源割り当ての例示的方法における、単調性および非単調性の例を示す。
【発明を実施するための形態】
【０００９】
新無線（ＮＲ）システム（既存のロングタームエボリューション（ＬＴＥ）システムよりはるかに広い帯域幅を使用するために設計された）は、より小さい制御オーバーヘッドでより効率的な資源の使用を可能にする。さらに別の、新たな帯域幅部分（ＢＷＰ）の概念の導入により、ユーザ機器（ＵＥ）の動作帯域幅を柔軟かつ動的に設定することが可能になり、これによって、ＮＲは、広帯域幅をサポートしながらもエネルギー効率的な解決策となる。
【００１０】
ＮＲのためのＢＷＰの概念は、設定されたチャネル帯域幅（ＣＢＷ）より小さいＢＷでＵＥを動作させる手段を提供し、これによって、ＮＲは、広帯域動作をサポートしながらもエネルギー効率的な解決策となる。ＵＥを伴うＢＷＰを用いる動作は、アクティブなＢＷＰの設定された周波数範囲の外側でＵＥが送受信する必要がなく、これにより省電力となる。
【００１１】
一例では、あるＢＷＰから別のＢＷＰに切り替えることは、ＰＤＳＣＨまたはＰＵＳＣＨ資源割り当てを指定することを含んでもよい。これは、資源指示値（ＲＩＶ）を用いて達成されてもよい。一般的に、資源割り当てを指定するために２つの値（たとえば、資源ブロックの数または長さと、始点資源ブロック）を用いてもよい。ＲＩＶにより、これらの値の双方を、単一の値を用いて表現することができるので、資源割り当て指定を伝達するために必要なオーバーヘッドが簡素化される。
【００１２】
図１は、基地局（ＢＳ）１２０と、１つ以上のユーザ機器（ＵＥ）１１１，１１２，１１３とを含む無線通信システムの例を示す。いくつかの実施形態では、ＵＥは第１組の資源を用いて第１送信（１３２，１３２，１３３）を実行してもよい。設定可能帯域幅を伴うシステムでは、基地局はその後、別のＢＷＰを用いる指示（１４１，１４２，１４３）をＵＥに送信してもよい。その後、各ＵＥは、第２組の資源を用いて第２送信を実行してもよい。
【００１３】
［既存のシステムにおける資源割り当て（ＲＡ）の例］
既存のＮＲシステムでは、ＵＥによって使用中であるＢＷＰを変更するために、ＢＷＰインデックスを用いることができる。インデックスが示すＢＷＰにはダウンリンク制御情報（ＤＣＩ）が関連するが、ＤＣＩ（ビット数）の解釈は現在のＢＷＰによって決定される。現在のところ、ＤＣＩを新たなＢＷＰ（現在のＢＷＰとは異なる）にマッピングする動作は存在しない。
【００１４】
一部の既存システムでは、ＵＥ固有探索空間（ＵＳＳ）におけるＤＣＩ形式０−１および１−１におけるすべてのＤＣＩビットフィールドのサイズは、現在のＢＷＰによって決定される。データはＢＷＰインデックスによって指示されるＢＷＰ上で伝送可能である。ＢＷＰインデックスが他のＢＷＰをアクティベートする場合には、以下の変換規則が実装される：（１）新たなＢＷＰに整合させるために小さいビットフィールドをゼロパディングする、および（２）新たなＢＷＰに整合させるために大きいビットフィールドを切り詰める。
【００１５】
既存のタイプ１のＮＲ資源割り当てでは、ＤＣＩ周波数領域資源割り当てフィールドは┌ｌｏｇ２（ＮＲＢ（ＮＲＢ＋１）／２）┐ビットを要し、ただしＮＲＢは資源ブロック（ＲＢ；物理資源ブロックまたはＰＲＢとも呼ばれる）の数である。一例では、小さいＢＷＰ（たとえば１１ビットを要する５０ＲＢ）が大きいＢＷＰ（１５ビットを要する２００ＲＢ）に切り替わる必要がある場合には、現在のＮＲシステムアルゴリズムは、新たなＢＷＰと整合させるために小さいビットフィールドをゼロパディングする（４個のゼロビットがパディングされる）。ＮＲシステムは、以下の２つの方式を定義する：（１）小さいビットフィールドの最上位ビット（ＭＳＢ）をゼロパディングする、または、（２）小さいビットフィールドの最下位ビット（ＬＳＢ）をゼロパディングする。
【００１６】
ＲＩＶの数学的定義によれば、ビットフィールドのＭＳＢのゼロパディングは、ＲＩＶが非常に小さい値のみを取り得、したがって、ＲＢの長さは非常に小さい値のみを取り得るということを示唆する。同様に、ビットフィールドのＬＳＢのゼロパディングは、ＲＩＶが非常に大きい値のみを取り得、したがって、ＲＢの長さは非常に大きい値のみを取り得るということを示唆する。
【００１７】
一例では、ＢＷＰがより大きいＢＷＰに切り替わる場合において、ビットフィールドのＬＳＢのゼロパディングの方が、合理的に見える可能性がある。しかしながら、ネットワークノード（たとえばｇＮＢ）が、大きい値のインデックスを伴うＲＢに対応する周波数部分を占有するＲＢにスケジュールされた他のＵＥを有している場合には、ＬＳＢのゼロパディングはスケジューリング衝突を起こすので、ＭＳＢのゼロパディングが好適な場合がある。
【００１８】
上述のように、ＲＩＶは、資源ブロックの数／長さ（ＬＲＢｓと表記する）と、始点資源ブロック（ＲＢｓｔａｒｔと表記する）とに依存し得る。ＮＲでのＲＩＶの数学的定義によれば、ＲＩＶは、ＬＲＢｓの値を一定に維持しながらＲＢｓｔａｒｔの値を増加させることによって生成され、これは結果として、ＵＥによってスケジュールされ得るＲＢの長さに対する制限となる可能性があり、資源ブロッキングを起こす可能性がある。
【００１９】
数値例
資源割り当て（ＲＡ）タイプ１の例において、ＢＷＰ１は２４ＲＢを使用し（９ビットを要する）、ＢＷＰ２は２７５ＲＢを使用する（１６ビットを要する）。ＵＥがＢＷＰ１からＢＷＰ２に切り替わる必要がある場合には、７ビットをゼロパディングする必要がある。
【００２０】
ＢＷＰ１ビットフィールドが００１１０１１０１として設定されていると想定する。
【００２１】
ＢＷＰ２のために、ビットフィールドのＭＳＢをゼロパディングすると０００００００００１１０１１０１となり、すなわちＲＩＶ＝１０７である。ＲＩＶの数学的定義によれば、これは、ＬＲＢｓが１ＲＢであり、ＲＢｓｔａｒｔが１０７番目のＲＢであるということを示唆する。代替的に、ＢＷＰ２のために、ビットフィールドのＬＳＢをゼロパディングすると００１１０１１０１０００００００となり、すなわちＲＩＶ＝１３９５２である。ＲＩＶの数学的定義によれば、これは、ＬＲＢｓが５１ＲＢであり、ＲＢｓｔａｒｔが１０７番目のＲＢであるということを示唆する。
【００２２】
数学的定義
既存のＮＲ仕様によれば、ＲＩＶの数学的定義は、ＲＩＶの単調性を保証できない。
【００２３】
ｉｆ  （ＬＲＢｓ−１）≦└ＮｓｉｚｅＢＷＰ／２┘  ｔｈｅｎ
ＲＩＶ＝ＮｓｉｚｅＢＷＰ（ＬＲＢｓ−１）＋ＲＢｓｔａｒｔ
ｅｌｓｅ
ＲＩＶ＝ＮｓｉｚｅＢＷＰ（ＮｓｉｚｅＢＷＰ−ＬＲＢｓ＋１）＋（ＮｓｉｚｅＢＷＰ−１−ＲＢｓｔａｒｔ）
ただしＬＲＢｓ≧１であり、ＮｓｉｚｅＢＷＰ−ＲＢｓｔａｒｔを超えない。
【００２４】
とくに、「ｅｌｓｅ」の条件は、ＲＩＶの単調性を保証できない。
【００２５】
タイプ１のＮＲ（新ＲＡＴ）資源割り当て（タイプ２のＬＴＥ資源割り当てに類似）では、ＵＥに対する資源ブロック付与情報は、サイズＮｓｉｚｅＢＷＰＰＲＢの、アクティブな搬送波帯域幅部分内の連続して割り当てられた資源ブロックの組を指示する。しかしながら、ＣＯＲＥＳＥＳＴ０内の共通探索空間においてＤＣＩ形式１−０が復号される場合には、この指示は使用すべきサイズＮｓｉｚｅＢＷＰＰＲＢの初期帯域幅部分についてのものと解釈される。
【００２６】
ＮＲ資源割り当てタイプ１について、┌ｌｏｇ２（ＮｓｉｚｅＢＷＰ（ＮｓｉｚｅＢＷＰ＋１）／２）┐ＬＳＢがＤＣＩ形式周波数領域資源割り当てフィールドにおける資源割り当てを提供し、資源割り当てフィールドは、始点資源ブロック（ＲＢｓｔａｒｔ）および連続して割り当てられる資源ブロックに関する長さ（ＬＲＢｓ）に対応する資源指示値（ＲＩＶ）からなる。
【００２７】
典型的には、これら２つの値（ＲＢｓｔａｒｔおよびＬＲＢｓ）は、資源割り当てを指定するために用いることができるが、ＲＩＶを用いると、これら２つの値を単一の値で表現することができ、情報を搬送するビットの数の観点から何らかの利益を有する。
【００２８】
ＲＩＶについての数学的定義は、ＤＣＩ形式に依存し、次のように与えられる。
【００２９】
ｉｆ  （ＬＲＢｓ−１）≦└ＮｓｉｚｅＢＷＰ／２┘  ｔｈｅｎ
ＲＩＶ＝ＮｓｉｚｅＢＷＰ（ＬＲＢｓ−１）＋ＲＢｓｔａｒｔ
ｅｌｓｅ
ＲＩＶ＝ＮｓｉｚｅＢＷＰ（ＮｓｉｚｅＢＷＰ−ＬＲＢｓ＋１）＋（ＮｓｉｚｅＢＷＰ−１−ＲＢｓｔａｒｔ）
ただしＬＲＢｓ≧１であり、ＮｓｉｚｅＢＷＰ−ＲＢｓｔａｒｔを超えない。
【００３０】
上の定義は、ＲＩＶ値のソート順は、初期にＬＲＢｓを一定に維持しＲＢｓｔａｒｔを増加させることを含むということを示す。たとえば、表記（ＲＢｓｔａｒｔ，ＬＲＢｓ）を用いて以下のようになる。
【００３１】
ＲＩＶ＝０は（０，１）と等価であり、
ＲＩＶ＝１は（１，１）と等価であり、
ＲＩＶ＝２は（２，１）と等価であり、
…
ＲＩＶ＝ＮｓｉｚｅＢＷＰは（０，２）と等価であり、
…
【００３２】
ＢＷＰ背景
サービングセルの帯域幅部分（ＢＷＰ）での動作のための設定されたＵＥは、サービングセルに対して、サービングセルに関する上位層によって、ＤＬ帯域幅においてパラメータＤＬ−ＢＷＰによってＵＥによる受信のための最大４個の帯域幅部分（ＢＷＰ）の組（ＤＬ  ＢＷＰ組）と、ＵＬ帯域幅においてパラメータＵＬ−ＢＷＰによってＵＥによる送信のための最大４個のＢＷＰの組（ＵＬ  ＢＷＰ組）とを用いるよう設定される。
【００３３】
帯域幅経路標識フィールドがＤＣＩ形式１−１で設定される場合には、帯域幅経路標識フィールドの値は、ＤＬ受信に対する、設定されたＤＬ  ＢＷＰからのアクティブなＤＬ  ＢＷＰを指示する。帯域幅経路標識フィールドがＤＣＩ形式０−１で設定される場合には、帯域幅経路標識フィールドの値は、ＵＬ送信に対する、設定されたＵＬ  ＢＷＰからのアクティブなＵＬ  ＢＷＰを指示する。
【００３４】
［ビット標識のＲＩＶゼロパディングに基づくＲＡ実施形態の例］
図２に示すように、ＭＳＢまたはＬＳＢのゼロパディングを用いて、第１ＢＷＰに関連付けられたビットフィールドを、第２ＢＷＰのために用いるよう変換することができる。そこに示すように、ＢＷＰ１のＲＡビットフィールドは、その長さがＢＷＰ２のＲＡビットフィールドの長さと等しくなるよう増加させるために、ＭＳＢまたはＬＳＢにおいてパディングすることができる。本開示技術の実施形態は、ＭＳＢまたはＬＳＢのゼロパディングのいずれかを選択するための標識ビットを用いることができる。
【００３５】
いくつかの実施形態では、標識ビットは周波数領域資源割り当てフィールド内にあり、たとえば、当該フィールドのＭＳＢまたは当該フィールドの第２位ビットである。他の実施形態では、ＢＷＰインデックスが現在のＢＷＰインデックスと異なる場合には、標識ビットは、帯域幅経路標識フィールドを介しての暗示される標識であってもよい。
【００３６】
いくつかの実施形態では、資源割り当てタイプ０およびタイプ１の双方が設定されている場合には、資源割り当てタイプのいずれかを選択するために標識ビットを用いることができる（たとえば、ＲＡタイプ０とＲＡタイプ１との動的切り替え）。いくつかの実施形態では、ゼロパディングがＭＳＢに対するかまたはＬＳＢに対するかを、ネットワークノード（たとえばｅＮＢ）が選択してもよい。
【００３７】
［新たなＲＩＶの数学的定義に基づくＲＡ実施形態の例］
本開示技術の実施形態は、資源ブロッキングを確実に排除するために、ＲＩＶの新たな数学的定義を用いてもよい。既存のＮＲシステムのコンテキストで説明され、図３Ｂに示すように、ＲＩＶ値は、まずＬＲＢｓを一定に維持しＲＢｓｔａｒｔを増加させることによって決定されてもよい。
【００３８】
これに対し、図３Ａに示すように、本開示技術のいくつかの実施形態は、１ＲＢｓｔａｒｔからＬＲＢｓを増加させることによってＲＩＶ値を決定する。その後、ＬＲＢｓを固定値で一定に維持しつつＲＢｓｔａｒｔ値を増加させる。
【００３９】
一例では、表記（ＲＢｓｔａｒｔ，ＬＲＢｓ）を用いて、複数のＲＩＶが以下のように決定することができる。
【００４０】
ＲＩＶ＝０は（０，１）と等価であり、
ＲＩＶ＝１は（０，２）と等価であり、
ＲＩＶ＝２は（０，３）と等価であり、
…
ＲＩＶ＝ＮｓｉｚｅＢＷＰ−２は（０，ＮｓｉｚｅＢＷＰ−１）と等価であり、
ＲＩＶ＝ＮｓｉｚｅＢＷＰ−１は（１，１）と等価であり、
…
ＲＩＶ＝最大値は（ＮｓｉｚｅＢＷＰ−１，１）と等価である。
【００４１】
いくつかの実施形態では、上述のシナリオにも適用可能であるが、ＲＩＶについての以下の第１代替数学的定義が以下のように定義可能である。
【００４２】
ｉｆ  ＲＢｓｔａｒｔ≦└ＮｓｉｚｅＢＷＰ／２┘  ｔｈｅｎ
ＲＩＶ＝ＮｓｉｚｅＢＷＰＲＢｓｔａｒｔ＋（ＬＲＢｓ−１）
ｅｌｓｅ
ＲＩＶ＝ＮｓｉｚｅＢＷＰ（ＮｓｉｚｅＢＷＰ−ＲＢｓｔａｒｔ）＋（ＮｓｉｚｅＢＷＰ−ＬＲＢｓ）
ただしＬＲＢｓ≧１であり、ＮｓｉｚｅＢＷＰ−ＲＢｓｔａｒｔを超えない。
【００４３】
他の実施形態では、資源ブロックインデックスに対する任意の始点、または、資源ブロックインデックスの最大値を用いることができる。このシナリオでは、複数のＲＩＶ値が以下のように定義可能である。
【００４４】
ＲＩＶ＝１は（ＮｓｉｚｅＢＷＰ−１，１）と等価であり、
ＲＩＶ＝２は（ＮｓｉｚｅＢＷＰ−２，１）と等価であり、
ＲＩＶ＝３は（ＮｓｉｚｅＢＷＰ−２，２）と等価であり、
ＲＩＶ＝４は（ＮｓｉｚｅＢＷＰ−３，１）と等価であり、
ＲＩＶ＝５は（ＮｓｉｚｅＢＷＰ−３，２）と等価であり、
ＲＩＶ＝６は（ＮｓｉｚｅＢＷＰ−３，３）と等価であり、
…
ＲＩＶ＝最大値は（０，ＮｓｉｚｅＢＷＰ）と等価である。
【００４５】
ただし、ＲＩＶｔａｒｇｅｔ＝ａｂｓ（ＲＩＶｍａｘ−ＲＩＶ）である。
【００４６】
いくつかの実施形態では、上述のシナリオにも適用可能であるが、ＲＩＶについての以下の第２代替数学的定義が以下のように定義可能である。
【００４７】
ｉｆ  ＲＢｓｔａｒｔ≦└ＮｓｉｚｅＢＷＰ／２┘  ｔｈｅｎ
ＲＩＶｔｅｍｐ＝ＮｓｉｚｅＢＷＰＲＢｓｔａｒｔ＋（ＬＲＢｓ−１）
ｅｌｓｅ
ＲＩＶｔｅｍｐ＝ＮｓｉｚｅＢＷＰ（ＮｓｉｚｅＢＷＰ−ＲＢｓｔａｒｔ）＋（ＮｓｉｚｅＢＷＰ−ＬＲＢｓ）
ＲＩＶ＝ＲＩＶＭａｘ−ＲＩＶｔｅｍｐ
ただしＬＲＢｓ≧１であり、ＮｓｉｚｅＢＷＰ−ＲＢｓｔａｒｔを超えない。
【００４８】
いくつかの実施形態では、標識ビットに基づき、ＲＩＶについての第１または第２代替数学的定義を選択してもよい。一例では、標識ビットは周波数領域資源割り当てフィールド内にあり、たとえば当該フィールドのＭＳＢまたは第２位ビットである。他の実施形態では、ＢＷＰインデックスが現在のＢＷＰインデックスと異なる場合には、標識ビットは、帯域幅経路標識フィールドを介しての暗示される標識であってもよい。
【００４９】
本特許文献において示され説明されるように、実装が明示的に禁じない限り、本開示技術の様々な実施形態を組み合わせてもよい。たとえば、以下の数値例に示すように、ゼロパディング手法は、ＲＩＶについての新たな数学的定義と組み合わせて用いてもよい。
【００５０】
数値例
資源割り当て（ＲＡ）タイプ１に対する既存のＮＲシステムのコンテキストで説明される例を継続する。この例では、ＢＷＰ１が２４ＲＢを使用し、ＢＷＰ２が２７５ＲＢを使用し、ＵＥがＢＷＰ１からＢＷＰ２に切り替わる必要があり、ＢＷＰ１ビットフィールドが００１１０１１０１として設定されたと想定していた。
【００５１】
ＢＷＰ２に対するビットフィールドのＭＳＢのゼロパディングにより、０００００００００１１０１１０１が得られ、すなわちＲＩＶ＝１０７である。ＲＩＶの数学的定義によれば、これは、ＬＲＢｓが１ＲＢであり、ＲＢｓｔａｒｔが１０７番目のＲＢであるということを示唆する。ＲＩＶについての新たな数学的定義を採用する場合には、ＬＲＢｓが１０７ＲＢとなり、ＲＢｓｔａｒｔが０番目のＲＢとなる。
【００５２】
ＢＷＰ２に対するビットフィールドのＬＳＢのゼロパディングにより、００１１０１１０１０００００００が得られ、すなわちＲＩＶ＝１３９５２である。ＲＩＶの数学的定義によれば、これは、ＬＲＢｓが５１ＲＢであり、ＲＢｓｔａｒｔが１０７番目のＲＢであるということを示唆する。ＲＩＶについての新たな数学的定義を採用する場合には、ＬＲＢｓが１０７ＲＢとなり、ＲＢｓｔａｒｔが５１番目のＲＢとなる。
【００５３】
［ＲＩＶサンプリングに基づくＲＡの実施形態例］
本開示技術の実施形態は、ＲＩＶの組をサンプリングして（より具体的にはダウンサンプリングして）、資源ブロッキングを防止する可能性のあるＲＩＶの代替的な組を生成してもよい。一例では、図４Ａ〜４Ｃに示すように、比較的小さいＢＷＰ  ＲＩＶ状態が０から（Ｍ−１）までインデキシングされ、比較的大きいＢＷＰ  ＲＩＶ状態が０から（Ｎ−１）までインデキシングされる。
【００５４】
いくつかの実施形態では、図４Ａに示すように、比較的大きいｃｅｉｌ（ｌｏｇ２（Ｎ））ビットのＢＷＰビットフィールド（Ｎ個の状態を示す）は、等間隔を用いてサンプリングされてもよい。たとえば、比較的小さいｃｅｉｌ（ｌｏｇ２（Ｍ））ビットのビットフィールドの状態を決定するために、ｆｌｏｏｒ（Ｎ／Ｍ）のサンプリング間隔を用いて、比較的大きいｃｅｉｌ（ｌｏｇ２（Ｎ））ビットのＢＷＰビットフィールドの状態のサブセットを選択してもよい。
【００５５】
他の実施形態では、図４Ｂに示すように、比較的大きいｃｅｉｌ（ｌｏｇ２（Ｎ））ビットのＢＷＰビットフィールドは、比較的大きいＢＷＰビットフィールドの第１状態からのオフセットを伴って、等間隔を用いてサンプリングされてもよい。たとえば、比較的小さいｃｅｉｌ（ｌｏｇ２（Ｍ））ビットのビットフィールドの状態を決定するために、オフセット値を伴って、ｆｌｏｏｒ（Ｎ／Ｍ）のサンプリング間隔を用いて、比較的大きいｃｅｉｌ（ｌｏｇ２（Ｎ））ビットのＢＷＰビットフィールドの状態のサブセットを選択してもよい。
【００５６】
さらに他の実施形態では、図４Ｃに示すように、比較的大きいｃｅｉｌ（ｌｏｇ２（Ｎ））ビットのＢＷＰビットフィールドは、不等間隔を用いてサンプリングされてもよい。たとえば、比較的小さいｃｅｉｌ（ｌｏｇ２（Ｍ））ビットのビットフィールドの状態を決定するために、ｆｌｏｏｒ（Ｎ／Ｍ）＋オフセットＹのサンプリング間隔を用いて、比較的大きいｃｅｉｌ（ｌｏｇ２（Ｎ））ビットのＢＷＰビットフィールドの状態のサブセットを選択してもよい。図４Ｃは、比較的大きいＢＷＰビットフィールドがサンプリングされるにつれ、サンプリング間隔が連続的に変化してもよいということを示す。一例では、オフセットは事前に決定され、テーブルまたは仕様から読み出されてもよい。別の例では、オフセットはランダムに生成されてもよい。さらに別の例では、オフセットは比較的小さいｃｅｉｌ（ｌｏｇ２（Ｍ））ビットのビットフィールドの一部に基づいてもよい。さらに別の例では、オフセットはリアルタイムに計算されてもよい。
【００５７】
数値例
一例では、大きいＢＷＰのビットフィールド（たとえば１５ビットを要する２００ＲＢ）は２＾１５個の状態を用いるが、比較的小さいＢＷＰのビットフィールド（たとえば１１ビットを要する５０ＲＢ）は２＾１１個の状態しか用いない。このシナリオについて、等間隔または不等間隔で、オフセットありまたはなしで、（１：２＾（１５−１１）：２＾１５）で表されるサンプリングを用いてもよい。
【００５８】
いくつかの実施形態では、サンプリングは、図４Ａ〜４Ｃに示すように、ＲＩＶ値の、比較的大きいｃｅｉｌ（ｌｏｇ２（Ｎ））の組から、ＲＩＶ値の、比較的小さいｃｅｉｌ（ｌｏｇ２（Ｍ））の組までであってもよい。たとえば、図４Ａ〜４Ｃに示す各状態が、個別のＲＩＶ値に対応する。別の実施形態では、サンプリングは、上記数値例で説明されたような単一のビットフィールドからであってもよい。たとえば、図４Ａ〜４Ｃの各状態が個別のビットに対応する。
【００５９】
［ＲＩＶ単調性に基づくＲＡの実施形態例］
本開示技術の実施形態は、資源ブロッキングを排除するために、定義の単調性を変更してもよい。ＬＴＥシステムについてのＲＩＶの元の定義は、既存システムのコンテキストで説明されるように、ＲＩＶ値のソート順序は、まずＬＲＢｓを一定に維持しながらＲＢｓｔａｒｔを増加するというものである。しかしながら、図７に示すように、この結果として単調性が欠如する。
【００６０】
単調性のために、ＲＩＶ値の増加は、ＬＲＢｓ＝１である場合には、ＲＢｓｔａｒｔの増加に対応すべきであり、ＲＩＶ値の増加は、ＬＲＢｓ＝２である場合には、ＲＢｓｔａｒｔの増加に対応すべきであり、以下同様である。しかしながら、ＬＲＢｓ≧１およびこのパラメータがＮｓｉｚｅＢＷＰ−ＲＢｓｔａｒｔを超えないという制限により、ＲＢｓｔａｒｔはＬＲＢｓ＞１である場合にすべての値を反復することができない。したがって、ＲＩＶ値は、ＲＢｓｔａｒｔおよびＬＲＢｓの反復し尽くされる組み合わせを示すとは限らない。表１に示すように、太字／ハイライトのエントリは、単調に変化しないＲＢｓｔａｒｔおよびＬＲＢｓの組み合わせには対応しないＲＩＶ値に対応する。
【００６１】
【表１】
2021513799.tif 000003
いくつかの実施形態では、ＲＩＶの単調性は次に与えられる式を用いて修正されてもよい。
【００６２】
ｉｆ  ｍ＝＝０
ＲＩＶｎｅｗ＝ＲＩＶ
ｅｌｓｅ
ｉｆ  （ＲＩＶ＞ｍＮ−１）＆（ＲＩＶ＜（ｍ＋１）Ｎ−ｍ）
ＲＩＶｎｅｗ＝ＲＩＶ−ｍ（ｍ＋１）／２
ｅｌｓｅ
ＲＩＶｎｅｗ＝ｍａｘ（ＲＩＶ）−（（ｍ−２Ｎ）（ｍ＋１）／２＋ＲＩＶ）
ｅｎｄ
ｅｎｄ
ただしｍａｘ（ＲＩＶ）＝ＲＩＶの最大状態であり、ｍ＝└Ｎ／２┘であり、ＮはＢＷＰＮｓｉｚｅＢＷＰの帯域幅である。
【００６３】
本開示技術の様々な実施形態（たとえば、ビット標識を伴うゼロパディング、新たな数学的定義、サンプリングおよび単調性）は、資源ブロッキングを防止する実施形態を提供するように、および、設定可能帯域幅が利用可能な場合には資源割り当て方法を提供するように、組み合わせてもよい。
【００６４】
図５は、設定可能帯域幅のための資源割り当ての例示的方法に関するフローチャートを示す。方法５００は、ステップ５１０において、第１帯域幅において第１組の資源を用いて第１送信を実行することを含む。
【００６５】
方法５００は、ステップ５２０において、第１送信の後に、第２帯域幅において第２組の資源を用いて第２送信を実行することを含む。第１組の資源は第１値（または第１の複数値）によって識別され、第２組の資源は第２値（または第２の複数値）によって識別され、第１送信のために第１組の資源を用いることから第２送信のために第２組の資源を用いることに切り替えるＵＥに対応する。
【００６６】
いくつかの実施形態では、「ビット標識のＲＩＶゼロパディングに基づくＲＡ実施形態」の章の文脈で説明したように、第１値のビット表現は、第２値のビット表現がゼロパディングされたバージョンであり、第２値のビット表現がＭＳＢまたはＬＳＢに関してゼロパディングされている。
【００６７】
いくつかの実施形態では、「ＲＩＶサンプリングに基づくＲＡの実施形態」の章の文脈で説明したように、第１の複数値は、第１組の資源および第２組の資源の相対的サイズに基づき、第２の複数値のサブセットを選択することによって決定されてもよい。たとえば、均一または不均一、および、オフセットありまたはなしのサンプリング。
【００６８】
いくつかの実施形態では、「ＲＩＶ単調性に基づくＲＡの実施形態」の章の文脈で説明したように、第２値は第１値に基づいており、単調関数を用いて計算され（第１値が第２値より大きい）、（ａ）第１組の資源の長さは第２組の資源の長さ以上であること、または、（ｂ）第１組の資源の始点インデックスは第２組の資源の始点インデックス以上であること、を示唆する。
【００６９】
いくつかの実施形態では、「新たなＲＩＶの数学的定義に基づくＲＡ実施形態」の章の文脈で説明したように、第１値は、第１変数（たとえばＬＲＢｓ）の値を一定に維持して第２変数（たとえばＲＢｓｔａｒｔ）の値を増加させることによって生成される第１タイプのものであり、第２値は、第２変数の値を一定に維持して第１変数の値を増加させることによって生成される第２タイプのものである。
【００７０】
図６は、本文書において説明される方法または技術（たとえば方法５００）を実装可能な装置の例のブロック図である。装置６０５（基地局または無線装置（またはＵＥ））は、マイクロプロセッサ等のプロセッサ電子機器６１０（本文書で提示する１つ以上の技術を実装するもの等）を含んでもよい。装置６０５は、１つ以上の通信インタフェース（アンテナ６２０等）を介して無線信号を送信および／または受信するための送受信機電子機器６１５を含んでもよい。装置６０５は、データを送受信するための他の通信インタフェースを含んでもよい。装置６０５は、情報（データおよび／または命令等）を記憶するよう構成された１つ以上のメモリ（明示的には図示しない）を含んでもよい。いくつかの実装では、プロセッサ電子機器６１０は、送受信機電子機器６１５の少なくとも一部を含んでもよい。いくつかの実施形態では、装置６０５を用いて、本開示の技術、モジュールまたは機能の少なくともいくつかが実装される。
【００７１】
本明細書および図面は、例示のみとして意図され、例示的手段は例を意味し、そうでないと述べた場合を除き理想的または好適な実施形態を示唆しない。本明細書において、単数形「ａ」、「ａｎ」および「ｔｈｅ」は、文脈がそうでないと明確に示す場合を除き、複数形を含むよう意図される。また、「または」の使用は、文脈がそうでないと明確に示す場合を除き、「および／または」を含むよう意図される。
【００７２】
本明細書に記載するいくつかの実施形態は、方法またはプロセスの一般的なコンテキストで説明されるが、一実施形態ではコンピュータプログラム製品（コンピュータ可読媒体で実現され、コンピュータ実行可能命令（プログラムコード等）を含み、ネットワーク化された環境でコンピュータによって実行される）によって実装されてもよい。コンピュータ可読媒体は、リムーバブルおよび非リムーバブルな記憶装置（読み取り専用メモリ（ＲＯＭ）、ランダムアクセスメモリ（ＲＡＭ）、コンパクトディスク（ＣＤ）、デジタルバーサタイルディスク（ＤＶＤ）、等を含むがこれらに限定されない）を含んでもよい。したがって、コンピュータ可読媒体は、過渡的でない記憶媒体を含んでもよい。一般的に、プログラムモジュールは、ルーチン、プログラム、オブジェクト、コンポーネント、データ構造、等（特定のタスクを実行するか、または特定の抽象データタイプを実装するもの）を含んでもよい。コンピュータ実行可能命令またはプロセッサ実行可能命令（データ構造に関連付けられる）およびプログラムモジュールは、本明細書に開示される方法のステップを実行するためのプログラムコードの例を表す。そのような実行可能命令または関連するデータ構造の特定のシーケンスは、そのようなステップまたはプロセスにおいて説明された機能を実装するための対応するアクトの例を表す。
【００７３】
開示された実施形態のいくつかは、ハードウェア回路、ソフトウェアまたはそれらの組み合わせを用いた装置またはモジュールとして実装可能である。たとえば、ハードウェア回路実装は、個別のアナログおよび／またはデジタル構成要素（たとえば印刷回路基板の一部として集積される）を含んでもよい。代替的に、または追加的に、開示された構成要素またはモジュールは、特定アプリケーション用集積回路（ＡＳＩＣ）および／またはフィールドプログラマブルゲートアレイ（ＦＰＧＡ）装置として実装されてもよい。いくつかの実装は、追加的に、または代替的に、本出願の開示された機能性に関連するデジタル信号プロセッサ（ＤＳＰ）の動作ニーズに最適化されたアーキテクチャを有する専用マイクロプロセッサであるデジタル信号プロセッサを含んでもよい。同様に、各モジュール内の様々な構成要素またはサブ構成要素は、ソフトウェア、ハードウェア、またはファームウェアで実装されてもよい。モジュールおよび／またはモジュール内の構成要素の接続性は、本技術分野において既知の接続方法および媒体（適切なプロトコルを用いた、インターネット、有線、または無線ネットワーク上の通信を含むが、これらに限定されない）のいずれかを用いて提供されてもよい。
【００７４】
本文書は多数の詳細を含むが、それらは、特許請求された発明または特許請求可能な発明の範囲に対する限定としてではなく、特定の実施形態に固有の特徴の説明として解釈されるべきである。本文書において、分離された実施形態のコンテキストで説明されたいくつかの特徴は、単一の実施形態において組み合わせで実装してもよい。逆に、単一の実施形態のコンテキストで説明された様々な特徴は、複数の実施形態において別々に、または任意の適切なサブコンビネーションにおいて実装してもよい。さらに、各特徴は、上記では特定の組み合わせにおいて作用し初期はそれ自体で特許が請求されるが、特許が請求される組み合わせからの１以上の特徴は、いくつかの場合には組み合わせから削除可能であり、特許が請求される組み合わせはサブコンビネーションまたはそのバリエーションに関連してもよい。同様に、動作は図面において特定の順序で示されるが、所望の結果を達成するために、その動作を図示されるその特定の順序でまたは逐次的に実行する必要があると理解すべきではなく、図示されたすべての動作を実行する必要があると理解すべきでもない。
【００７５】
いくつかの実装および例のみが説明され、本開示の説明および図示に基づいて、他の実装、拡張およびバリエーションを作成することができる。
【図１】
2021513799.tif 000004
【図２】
2021513799.tif 000005
【図３Ａ】
2021513799.tif 000006
【図３Ｂ】
2021513799.tif 000007
【図４Ａ】
2021513799.tif 000008
【図４Ｂ】
2021513799.tif 000009
【図４Ｃ】
2021513799.tif 000010
【図５】
2021513799.tif 000011
【図６】
2021513799.tif 000012
【図７】
2021513799.tif 000013
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
第１帯域幅において第１組の資源を用いて第１送信を実行することと、
前記第１送信の後に、第２帯域幅において第２組の資源を用いて第２送信を実行することと、
を含む無線通信方法であって、
前記第１帯域幅は、前記第２帯域幅より大きく、
前記第１組の資源は、第１値によって識別され、
前記第２組の資源は、第２値によって識別され、
前記第１値のビット表現は、前記第２値のビット表現がゼロパディングされたバージョンであり、
前記第２値の前記ビット表現は、最上位ビット（ＭＳＢ）または最下位ビット（ＬＳＢ）に関してゼロパディングされている、
方法。
【請求項２】
前記第１値および前記第２値は、それぞれ第１および第２資源指示値（ＲＩＶ）に対応し、
前記第１組の資源および前記第２組の資源は、それぞれ第１数および第２数の資源ブロックに対応し、
前記第１帯域幅および第２帯域幅は、それぞれ第１および第２帯域幅部分（ＢＷＰ）に対応する、
請求項１に記載の方法。
【請求項３】
前記第１組の資源を識別する前記第１値は、第１ＢＷＰインデックスに基づき、
前記第２組の資源を識別する前記第２値は、第２ＢＷＰインデックスに基づく、
請求項２に記載の方法。
【請求項４】
前記第２ＢＷＰインデックスを含むダウンリンク制御情報（ＤＣＩ）を受信することと、
前記第２ＢＷＰインデックスが前記第１ＢＷＰインデックスとは異なると決定することと、
をさらに含む、請求項３に記載の方法。
【請求項５】
前記ＭＳＢまたは前記ＬＳＢに関するゼロパディングは標識ビットに基づく、請求項１に記載の方法。
【請求項６】
前記標識ビットは、周波数領域資源割り当てフィールドの一部であるか、または、帯域幅部分標識フィールドの値に基づいている、請求項５に記載の方法。
【請求項７】
第１帯域幅において第１組の資源を用いて第１送信を実行することと、
前記第１送信の後に、第２帯域幅において第２組の資源を用いて第２送信を実行することと、
前記第２送信の後に、前記第２帯域幅において第３組の資源を用いて第３送信を実行することと、
を含む無線通信方法であって、
前記第２帯域幅は、前記第１帯域幅より大きく、
前記第１組の資源は、第１の複数値によって識別され、
前記第２組の資源は、第２の複数値によって識別され、
前記第３組の資源は、第３の複数値によって識別され、
前記第３の複数値は、前記第１組の資源および前記第２組の資源の相対的サイズに基づいて、前記第２の複数値のサブセットを選択することによって決定される、
方法。
【請求項８】
前記第１、前記第２および前記第３の複数値は、それぞれ第１、第２および第３の複数の資源指示値（ＲＩＶ）に対応し、
前記第１組の資源、前記第２組の資源および前記第３組の資源は、それぞれ第１数、第２数および第３数の資源ブロックに対応し、
前記第１帯域幅および第２帯域幅は、それぞれ第１および第２帯域幅部分（ＢＷＰ）に対応する、
請求項７に記載の方法。
【請求項９】
前記サブセットは、前記第２の複数値から均一に選択される、請求項７に記載の方法。
【請求項１０】
前記サブセットは、前記第２の複数値から不均一に選択される、請求項７に記載の方法。
【請求項１１】
前記第２の複数値の前記サブセットは、さらにオフセット値に基づいて選択され、
前記オフセット値は、前記第１値のビット表現に基づき、
前記オフセット値は、０から（Ｓ−１）までの範囲の組から選択され、
Ｓはサンプリング間隔であり、
前記サンプリング間隔は、前記第１組および前記第２組の資源のサイズの比率に基づく、
請求項７に記載の方法。
【請求項１２】
帯域幅において第１組の資源を用いて第１送信を実行することと、
前記第１送信の後に、前記帯域幅において第２組の資源を用いて第２送信を実行することと、
を含む無線通信方法であって、
前記第１組の資源は、第１の複数値によって識別され、
前記第２組の資源は、第２の複数値によって識別され、
前記第１の複数値は、前記第２の複数値に基づき、
前記第２の複数値の第３値は、前記第２の複数値の第４値より大きく、
（ａ）前記第３値に対応する長さは、前記第４値に対応する長さ以上であるか、または、（ｂ）前記第３値に対応する始点インデックスは、前記第４値に対応する始点インデックス以上である、
方法。
【請求項１３】
前記第１の複数値および前記第２の複数値は、それぞれ、第１の複数の、および、第２の複数の、資源指示値（ＲＩＶ）に対応し、
前記第１組の資源および前記第２組の資源は、それぞれ第１数および第２数の資源ブロックに対応し、
前記帯域幅は帯域幅部分（ＢＷＰ）に対応する、
請求項１２に記載の方法。
【請求項１４】
前記第１の複数値（ＲＩＶｎｅｗ）の決定は、以下に基づき、
Ｉｆ  （ｍ＝＝０）
ＲＩＶｎｅｗ  ＝  ＲＩＶ
Ｅｌｓｅ
Ｉｆ  （ＲＩＶ＞（ｍＮ−１））＆（ＲＩＶ＜（ｍ＋１）Ｎ−ｍ）
ＲＩＶｎｅｗ＝ＲＩＶ−ｍ（ｍ＋１）／２
Ｅｌｓｅ
ＲＩＶｎｅｗ＝ｍａｘ（ＲＩＶ）−（（ｍ−２Ｎ）（ｍ＋１）／２＋ＲＩＶ）
Ｅｎｄ
Ｅｎｄ
ただしｍａｘ（ＲＩＶ）は前記第１値の最大値であり、Ｎは前記帯域幅であり、ｍ＝ｆｌｏｏｒ（Ｎ／２）である、請求項１３に記載の方法。
【請求項１５】
帯域幅において第１組の資源を用いて第１送信を実行することと、
前記第１送信の後に、前記帯域幅において第２組の資源を用いて第２送信を実行することと、
を含む無線通信方法であって、
前記第１組の資源は、第１の複数値のうち１つによって識別され、
前記第２組の資源は、第２の複数値のうち１つによって識別され、
前記第１の複数値は、第１変数の値を一定に維持して第２変数の値を増加させることによって決定され、
前記第２の複数値は、前記第２変数の前記値を一定に維持して前記第１変数の前記値を増加させることによって決定される、
方法。
【請求項１６】
前記第１の複数値および前記第２の複数値は、それぞれ、第１の複数の、および、第２の複数の、資源指示値（ＲＩＶ）に対応し、
前記第１組の資源および前記第２組の資源は、それぞれ第１数および第２数の資源ブロックに対応し、
前記帯域幅は帯域幅部分に対応し、
前記第１変数は、前記組の資源の長さに対応し、
前記第２変数は、前記組の資源の始点インデックスに対応する、
請求項１５に記載の方法。
【請求項１７】
前記第２の複数値は、第１方程式または第２方程式を用いて決定され、
前記第１方程式は、
Ｉｆ  （ＲＢｓｔａｒｔ≦ｆｌｏｏｒ（Ｎ／２））
ＲＩＶ＝Ｎ×ＲＢｓｔａｒｔ＋（ＬＲＢｓ−１）
Ｅｌｓｅ
ＲＩＶ＝Ｎ（Ｎ−ＲＢｓｔａｒｔ）＋（Ｎ−ＬＲＢｓ）
Ｅｎｄ
ただし（（Ｎ−ＲＢｓｔａｒｔ）≦ＬＲＢｓ≦１）
であり、
前記第２方程式は、
Ｉｆ  （ＲＢｓｔａｒｔ≦ｆｌｏｏｒ（Ｎ／２））
ＲＩＶｔｅｍｐ＝Ｎ×ＲＢｓｔａｒｔ＋（ＬＲＢｓ−１）
Ｅｌｓｅ
ＲＩＶｔｅｍｐ＝Ｎ（Ｎ−ＲＢｓｔａｒｔ）＋（Ｎ−ＬＲＢｓ）
Ｅｎｄ
ＲＩＶ＝ＲＩＶｍａｘ−ＲＩＶｔｅｍｐ
ただし（（Ｎ−ＲＢｓｔａｒｔ）≦ＬＲＢｓ≦１）
である、
請求項１６に記載の方法。
【請求項１８】
プロセッサを含む無線通信装置であって、
前記プロセッサは、
第１帯域幅において第１組の資源を用いて第１送信を実行し、
前記第１送信の後に、第２帯域幅において第２組の資源を用いて第２送信を実行する
ように構成され、
前記第１帯域幅は、前記第２帯域幅より大きく、
前記第１組の資源は、第１値によって識別され、
前記第２組の資源は、第２値によって識別され、
前記第１値のビット表現は、前記第２値のビット表現がゼロパディングされたバージョンであり、
前記第２値の前記ビット表現は、最上位ビット（ＭＳＢ）または最下位ビット（ＬＳＢ）に関してゼロパディングされている、
装置。
【請求項１９】
前記第１値および前記第２値は、それぞれ第１および第２資源指示値（ＲＩＶ）に対応し、
前記第１組の資源および前記第２組の資源は、それぞれ第１数および第２数の資源ブロックに対応し、
前記第１帯域幅および第２帯域幅は、それぞれ第１および第２帯域幅部分（ＢＷＰ）に対応する、
請求項１８に記載の装置。
【請求項２０】
前記第１組の資源を識別する前記第１値は、第１ＢＷＰインデックスに基づき、
前記第２組の資源を識別する前記第２値は、第２ＢＷＰインデックスに基づく、
請求項１９に記載の装置。
【国際調査報告】
2021513799.tif 000014
2021513799.tif 000015